(57)【要約】【課題】予め合成画像の出来上がりイメージを確認するとともに、主要被写体画像と背景画像との分離処理を容易にする。【解決手段】プロジェクタ１５は通常背景画像と単一色背景画像を１／３０秒間隔で交互にスクリーン１２の背面１２ｂに投影する。人物１１は後を振り返ってスクリーン１２に映る通常背景画像と自分の位置関係を観察し、自分の立つ位置を調整する。人物１１がシャッタレリーズボタン１７を押すと、単一色背景画像がスクリーン１２に投影されるのに同期してデジタルカメラ１４が撮影を行ない、この撮影画像データが被写体切出部２７に入力される。被写体切出部２７は、撮影画像データから主要被写体画像データを切り抜いて画像合成部２９に送る。画像合成部２９は、主要被写体画像データと通常背景画像データとを画像合成し、この合成画像データをプリント用画像データとしてプリンタに送る。【選択図】図１
2008097191.tif 000002
【特許請求の範囲】
【請求項１】
主要被写体の背後に配置された半透明のスクリーンと、
このスクリーンの主要被写体と反対側の背面に、単一色からなる単一色背景画像と主要被写体画像が合成されるべき任意の通常背景画像とを交互に投影する投影器と、
前記単一色背景画像がスクリーンに投影されている間に前記スクリーンを背景に主要被写体を撮影する撮影装置と、
この撮影装置によって撮影された撮影画像から主要被写体画像を切り出す主要被写体切出部と、
前記主要被写体画像と通常背景画像とを合成する画像合成部と
からなることを特徴とする画像合成システム。
【請求項２】
前記投影器は、前記単一色背景画像の投影時に、予め用意された色相が異なる複数の単一色背景画像から順次に１個ずつ選択して投影することを特徴とする請求項１記載の画像合成システム。
【請求項３】
前記画像合成部は、前記複数の単一色背景画像を背景とした撮影画像から切り出された各主要被写体画像のうち少なくとも１個の主要被写体画像に含まれている画像は、通常背景画像と合成されるべき主要被写体画像の一部であるとして処理することを特徴とする請求項２記載の画像合成システム。
【請求項４】
前記画像合成部は、前記複数の単一色背景画像を背景とした撮影画像が３個以上である場合に、各撮影画像から切り出された主要被写体画像のうち少なくとも２個以上の主要被写体画像に含まれている画像は、通常背景画像と合成されるべき主要被写体画像の一部であるとして処理することを特徴とする請求項２記載の画像合成システム。
【発明の詳細な説明】
【技術分野】
【０００１】
本発明は、画像合成システムに関し、更に詳しくはクロマキーによる合成画像の作成を行なう画像合成システムに関するものである。
【背景技術】
【０００２】
従来から、電子画像における画像合成は、肌色の補色とされる青色の単一色背景（通称ブルーバック）を背景に主要被写体の撮影を行ない、主要被写体を除く青色の背景画像を通常の背景画像（以下通常背景画像という）と置き換えることにより主要被写体画像と通常背景画像との合成を行なう、いわゆるクロマキー合成処理が使われている。
【０００３】
このようなクロマキー合成処理においては、主要被写体である人物と背景とが連続的である場合でも、人物の影が消されてしまうため、不自然な印象を与えるが、影の部分の画像データを用いて合成後の画像の中に主要部の影が付加された背景画像データを作成するようにした合成方法が知られている（例えば特許文献１）。
【０００４】
また、装置筐体の背面内部と内部底面部を自ら発光させ、さらに前面部、天井部からの照明を被写体に投射することで撮影対象の全身の影を相殺し、無影状態を作り出すことにより、簡易な構造で占有スペースが少なく、限られた空間内で自然な合成結果を得る画像合成方法が知られている（例えば特許文献２）。
【０００５】
また、被写体に使用されている色に応じて背景色を自在に変化させ、被写体に使用されていない所望の色を背景色として選択して表示することにより、被写体画像と所望の背景画像とをクロマキー合成処理を用いて合成する際に、高精度に合成処理を行うことに寄与する背景装置が知られている（例えば特許文献３）。
【０００６】
また、照明用ストロボの照明光が当たって反射した反射光をカメラの存在領域以外の領域に誘導する反射光誘導シートを用いて被写体の背景となるスクリーンとすることにより、反射光によるスクリーンでのハレーションを防止して美麗な撮影画像を得ることができる写真プリント作成装置が知られている（例えば特許文献４）。
【特許文献１】特開平０６−３３９１５０号公報
【特許文献２】特開２０００−２２４４１０号公報
【特許文献３】特開２００２−１１８７７０号公報
【特許文献４】特開２００４−０７７９５８号公報
【発明の開示】
【発明が解決しようとする課題】
【０００７】
上述したようにブルーバックを用いたクロマキーによる画像合成では、ブルーバックの青色と補色関係にある肌色である人の顔や手などは明確に分離できるが、例えば主要被写体である人物が青色の服を着ていた場合、服をブルーバックから明確に分離するのが困難である。これを解決するには、上記特許文献３記載の背景装置を用いればよいが、主要被写体の色に対応して数多くの色を自在に表示する装置が大掛かりであり、コスト面でも現実的とは言い難いのが実情である。
【０００８】
一方、主要被写体の撮影画像と背景画像との合成結果は、実際にその合成作業を行なってみてはじめて分かるため、主要被写体と背景とが合わない場合には、背景の選び直しや撮り直しなどの手間がかかり、満足のいく結果を得るまでには多大な労力が必要であった。このため、実際の画像合成を行なう前に、手間をかけずに予め合成結果を知りたいという要望がある。
【０００９】
本発明は、上記のような問題点を解決するためになされたもので、予め合成画像の出来上がりイメージを確認できるとともに、主要被写体画像と背景画像との分離処理を容易にできる画像合成システムを提供することを目的とする。
【課題を解決するための手段】
【００１０】
本発明の画像合成システムは、主要被写体の背後に配置された半透明のスクリーンと、このスクリーンの主要被写体と反対側の背面に、単一色からなる単一色背景画像と主要被写体画像が合成されるべき任意の通常背景画像とを交互に投影する投影器と、前記単一色背景画像がスクリーンに投影されている間に前記スクリーンを背景に主要被写体を撮影する撮影装置と、この撮影装置によって撮影された撮影画像から主要被写体画像を切り出す主要被写体切出部と、前記主要被写体画像と通常背景画像とを合成する画像合成部とからなることを特徴とする。
【００１１】
また、前記投影器は、前記単一色背景画像の投影時に、予め用意された色相が異なる複数の単一色背景画像から順次に１個ずつ選択して投影することを特徴とする。また、前記画像合成部は、前記複数の単一色背景画像を背景とした撮影画像から切り出された各主要被写体画像のうち少なくとも１個の主要被写体画像に含まれている画像は、通常背景画像と合成されるべき主要被写体画像の一部であるとして処理することを特徴とする。また、前記画像合成部は、前記複数の単一色背景画像を背景とした撮影画像が３個以上である場合に、各撮影画像から切り出された主要被写体画像のうち少なくとも２個以上の主要被写体画像に含まれている画像は、通常背景画像と合成されるべき主要被写体画像の一部であるとして処理することを特徴とする。
【発明の効果】
【００１２】
本発明の画像合成システムによれば、半透明のスクリーンに単一色背景画像と通常背景画像とを交互に投影し、単一色背景画像がスクリーンに投影されている間にスクリーンを背景として主要被写体を撮影するとともに、撮影画像から主要被写体画像を切り出して主要被写体画像と通常背景画像とを合成するので、スクリーンに投影された通常背景画像と主要被写体との位置関係を観察することにより予め合成画像の出来上がりイメージを確認できるとともに、主要被写体画像と背景画像との分離処理を容易にできる。
【００１３】
また、予め用意された色相が異なる複数の単一色背景画像から順次に１個ずつ選択して投影するから、それぞれの撮影画像から主要被写体画像を切り出すことにより、１つの単一色背景画像では明確に切り出すことができない（背景と明確に分離できない）ような主要被写体画像であっても、複数の主要被写体画像により互いに補完でき、背景画像からほぼ完全に分離された主要被写体画像を得ることができる。これにより、良好な画像合成を行なうことができる。
【００１４】
また、複数の単一色背景画像を背景とした撮影画像から切り出された各主要被写体画像のうち少なくとも１個の主要被写体画像に含まれている画像を通常背景画像と合成されるべき主要被写体画像の一部として処理するので、主要被写体画像の欠落を防止することができる。
【００１５】
また、複数の単一色背景画像を背景とした撮影画像が３個以上の場合、各撮影画像から切り出された主要被写体画像のうち少なくとも２個以上の主要被写体画像に含まれている画像は、通常背景画像と合成されるべき主要被写体画像の一部として処理するので、撮影中に主要被写体が動いたことなどで異なる状態の主要被写体画像が切り出された場合でも、通常背景画像と合成されるべき主要被写体画像を明確に特定することができる。
【発明を実施するための最良の形態】
【００１６】
本発明の画像合成システムは、主にテーマパークなどで、例えば城や建物と、キャラクタとが表示された背景画像に人物画像を合成する場合に使用されるが、この他に通常のスタジオ撮影で本発明システムを使用することもできる。以下、本発明の実施形態について詳細に説明する。
【００１７】
本発明の第１実施形態を示す図１において、画像合成システム１０は、主要被写体である人物１１の背後に配置された半透明のスクリーン１２と、このスクリーン１２の表面１２ａを背景にして人物１１を撮影するデジタルカメラ１４と、前記スクリーン１２の背面１２ｂの後方に設置されたプロジェクタ１５と、人物１１が所望のタイミングで押圧するシャッタレリーズボタン１７と、前記デジタルカメラ１４及びプロジェクタ１５を制御するシステムコントローラ１８とからなる。なお、図示していないが、撮影に際しては、写真用ライトが点灯して人物１１を照明する。
【００１８】
前記システムコントローラ１８は、背景制御部２６，被写体切出部２７，タイミング制御部２８，画像合成部２９からなる。前記背景制御部２６は、前記通常背景画像２２と単一色背景画像２３の各画像データを予め有しており、前記デジタルカメラ１４，プロジェクタ１５及びシステムコントローラ１８に電源が投入されて以降、通常背景画像２２（図２（Ａ）参照）の画像データと単一色背景画像２３（同図（Ｂ）参照）の画像データとを１／３０秒ごとに交互にプロジェクタ１５に送出する。
【００１９】
前記プロジェクタ１５は、前記背景制御部２６から送られてくる各画像データによって、人物１１の撮影画像が合成されるべき通常背景画像２２と、周知のクロマキー合成処理に用いる単一の色からなる単一色背景画像２３とを、１／３０秒ごとに交互にスクリーン１２の背面１２ｂに投影する。
【００２０】
前記通常背景画像２２は、ユーザの好みで自由に決められるが、本実施形態では城や建物とキャラクタとが表示された背景画像が使用される。また、前記通常背景画像２２は、スクリーン１２の表面１２ａから見て正像となるように、背面１２ｂに対してはネガ像である。また、前記単一色背景画像２３の色は、人物１１の色構成とできるだけ色相が異なる色が予め選択されるが、本実施形態では多くの色と色相が異なる「灰色」とする。
【００２１】
また、前記背景制御部２６が単一色背景画像２３の画像データをプロジェクタ１５に送出する度に、その旨を示す単一色背景画像出力信号をタイミング制御部２８に送出する。タイミング制御部２８は、単一色背景画像出力信号を受ける度に、これに同期して、シャッタタイミング信号をデジタルカメラ１４に送出する。
【００２２】
人物１１がシャッタレリーズボタン１７を押圧操作すると、デジタルカメラ１４がシャッタタイミング信号に同期してイメージセンサの電荷を強制的にドレインしてから、イメージセンサの光電変換を開始する。露光時間が経過すると、シャッタを作動させ、イメージセンサの光電変換を停止させる。シャッタの閉鎖後に、イメージセンサからフレーム画を読み出し、画像処理（Ａ／Ｄ変換，ガンマ変換、ホワイトバランス、シャーブネス処理、ＹＣ変換など）をしてから、この撮影画像データを被写体切出部２７に送る。
【００２３】
前記被写体切出部２７は、背景制御部２６から入力された単一色情報に基づいてキー信号を作成し、前記撮影画像データから人物１１の画像データ（以下主要被写体画像データという）を切り抜いて画像合成部２９に送る。
【００２４】
前記画像合成部２９は、前記主要被写体画像データと、背景制御部２６から入力される通常背景画像データとを画像合成し、得られた合成画像データをプリント用画像データとしてプリンタ（図示せず）に送る。なお、前記合成画像データを保存用画像データとしてメモリカードなどの不揮発メモリに書き込むようにしてもよい。また、前記主要被写体画像データは、前記撮影画像データでの座標データを保持しており、通常背景画像データと合成される際に、通常背景画像２２内での対応する座標位置に合成される。
【００２５】
次に、本実施形態の作用について説明する。前記背景制御部２６には、灰色の単一色背景画像２３と、所望の通常背景画像２２とが予めセットされている。デジタルカメラ１４，プロジェクタ１５及びシステムコントローラ１８に電源を投入すると、背景制御部２６は、通常背景画像データと単一色背景画像データとを１／３０秒間隔で交互にプロジェクタ１５に送る。これにより、図３のフローチャートに示すように、プロジェクタ１５は、通常背景画像２２と単一色背景画像２３とを１／３０秒間隔で交互にスクリーン１２の背面１２ｂに投影する（ｓｔ１）。
【００２６】
人物１１は、スクリーン１２の表面１２ａ近くに、デジタルカメラ１４の撮影レンズの方を向いて立つ。人物１１は、後を振り返ってスクリーン１２に映る通常背景画像２２と自分との位置関係を観察し、自分の立つ位置を調整する。これにより、合成完成後の画像を高い確度で予測することができる。なお、スクリーン１２には、１／３０間隔で交互に通常背景画像２２と単一色背景画像２３とが投影され、通常背景画像２２がチラつくように見えるが、単一色背景画像２３は通常背景画像２２と比べてほとんど目立たないため、人物１１は通常背景画像２２と自分との位置関係を問題なく確認することができる。
【００２７】
人物１１がシャッタレリーズボタン１７を押すと（ｓｔ２）、単一色背景画像２３がスクリーン１２に投影されるのに同期してデジタルカメラ１４が撮影を行ない（ｓｔ３）、この撮影画像データが被写体切出部２７に入力される。
【００２８】
被写体切出部２７は、前記撮影画像データから主要被写体画像データを切り抜いて画像合成部２９に送る（ｓｔ４）。画像合成部２９は、主要被写体画像データと通常背景画像データとを画像合成し（ｓｔ５）、この合成画像データをプリント用画像データとしてプリンタに送る。
【００２９】
次に、本発明の第２実施形態について、図４〜図６を参照して説明する。上記第１実施形態と同じ構成には同じ符号を付し、説明を省略する。本実施形態の画像合成システム４０は、図４に示すように、シャッタレリーズボタン１７のレリーズ信号をデジタルカメラ１４の他、背景制御部２６に入力するようにしている。
【００３０】
また、図５に示すように、背景制御部２６は、通常は一定間隔で通常背景画像２２の画像データをプロジェクタ１５に出力し、スクリーン１２には、通常背景画像２２が映し出されている（ｓｔ１１）。これにより、通常背景画像２２が途切れることなく投影されるから、いつでも人物１１が後ろを振り返ってスクリーンの背景画像を観察することができ、人物１１自らが画像合成位置を調整したり、場合によっては通常背景画像２２の絵柄を変更するように指示することもできる。
【００３１】
人物１１がシャッタレリーズボタン１７を押圧操作（撮影要求）すると（ｓｔ１２）、レリーズ信号がデジタルカメラ１４と背景制御部２６の両方に入力される。レリーズ信号を受けた背景制御部２６は、通常背景画像２２の画像データから単一色背景画像２３の画像データに切り替えてプロジェクタ１５に出力すると同時に、タイミング制御部２８に単一色背景画像出力信号を送る。
【００３２】
これにより、プロジェクタ１５は単一色背景画像２３を例えば１／３０秒間投影するとともに、単一色背景画像出力信号を受けたタイミング制御部２８からシャッタタイミング信号がデジタルカメラ１４に送られる。この時、既にレリーズ信号を受けているデジタルカメラ１４は、シャッタタイミング信号に同期して撮影を行ない（ｓｔ１３）、その撮影画像データを被写体切出部２７に出力する。
【００３３】
被写体切出部２７は、前記撮影画像データから主要被写体画像データを切り抜いて画像合成部２９に送り（ｓｔ１４）、画像合成部２９は主要被写体画像データと通常背景画像データとを画像合成する（ｓｔ１５）。以下、上記第１実施形態と同じであるから説明を省略する。
【００３４】
次に、本発明の第３実施形態について、図７〜図９を参照して説明する。上記第１実施形態と同じ構成には同じ符号を付し、説明を省略する。本実施形態の画像合成システムは、図７に示すように、単一色背景画像として色が異なる複数の単一色背景画像を用い、これを順次に投影しながら、各単一色背景画像投影の間に通常背景画像２２を投影する（ｓｔ２１）。本実施形態では、前記複数の単一色背景画像として、青色の単一色背景画像３６と、緑色の単一色背景画像３８とを用いる。
【００３５】
第１実施形態と同様に、人物１１は、後を振り返ってスクリーン１２に映る通常背景画像２２と自分との位置関係を観察し、自分の立つ位置を調整する。これにより、合成完成後の画像を高い確度で予測することができる。なお、スクリーン１２には、１／３０間隔で交互に通常背景画像２２と単一色背景画像３６，３８とが投影され、通常背景画像２２がチラつくように見えるが、単一色背景画像３６，３８は通常背景画像２２と比べてほとんど目立たないため、人物１１は通常背景画像２２と自分との位置関係を問題なく確認することができる。
【００３６】
人物１１がシャッタレリーズボタン１７を押圧操作すると（ｓｔ２２）、第１実施形態と同様にシャッタタイミング信号により、単一色背景画像３６の投影に同期してデジタルカメラ１４による撮影が行なわれ（ｓｔ２３）、この撮影画像データが被写体切出部２７に送られる。この被写体切出部２７により、前記撮影画像データから主要被写体画像データが切り抜かれ、画像合成部２９に送られる。
【００３７】
続いて、次のシャッタタイミング信号により、単一色背景画像３８の投影に同期してデジタルカメラ１４による撮影が行なわれ（ｓｔ２３）、この撮影画像データが被写体切出部２７に送られる。この被写体切出部２７により、前記撮影画像データから主要被写体画像データが切り抜かれ、画像合成部２９に送られる。本実施形態では、単一色背景画像は青色，緑色の２色であるから、１回のシャッタレリーズボタン１７の押圧操作による全ての撮影は完了する（ｓｔ２４）。
【００３８】
ここで、図８に示すように、例えば人物１１の袖の色が青色であった場合（Ａ）、青色の単一色背景画像３６を背景にした撮影画像データでは、その主要被写体画像４４の袖の画像が単一色背景画像３６から分離できないが（Ｂ）、緑色の単一色背景画像３８を背景にした撮影画像データでは、その主要被写体画像４５の青色をした袖の画像は単一色背景画像３８から分離される（Ｂ）。
【００３９】
また、人物１１の靴の色が緑色であった場合（Ａ）、緑色の単一色背景画像３８を背景にした撮影画像データでは、その主要被写体画像４５の靴の画像が単一色背景画像３８から分離できないが（Ｂ）、青色の単一色背景画像３６を背景にした撮影画像データでは、その主要被写体画像４４の緑色をした靴の画像は単一色背景画像３６から分離される（Ｂ）。
【００４０】
画像合成部２９は、前記主要被写体画像４４，４５を合成することにより、欠落した色データのない最終の１個の主要被写体画像データ４６を作成する（ｓｔ２５）。なお、この合成に際して、前記主要被写体画像４４，４５のいずれか一方でも存在するものは破棄することなく主要被写体画像４６とする。
【００４１】
続いて、画像合成部２９は、前記主要被写体画像４６と、背景制御部２６から入力される通常背景画像２２とを画像合成し（ｓｔ２６）、得られた合成画像データをプリント用画像データとしてプリンタに送る。なお、前記合成画像データを保存用画像データとしてメモリカードなどの不揮発メモリに書き込むようにしてもよい。
【００４２】
次に、本発明の第４実施形態について、図１０〜図１２を参照して説明する。上記第１，３実施形態と同じ構成には同じ符号を付し、説明を省略する。本実施形態の画像合成システムは、各撮影画像データから抜き出した少なくとも２つ以上の主要被写体画像データに同じ画像データが含まれた場合には、これを主要被写体画像データとして認識し、最終の主要被写体画像を作成する。
【００４３】
本実施形態の画像合成システムは、図１０に示すように、異なる３色（青色，緑色，黄色）の単一色背景画像３６，３８，４８を用い、第３実施形態と同様に、これらを順次に投影するとともに、各単一色背景画像間に通常背景画像２２を挟んで投影する（ｓｔ３１）。また、上記第３実施形態と同様に、人物１１は、後を振り返ってスクリーン１２に映る通常背景画像２２と自分との位置関係を観察し、自分の立つ位置を調整する。
【００４４】
人物１１がシャッタレリーズボタン１７を押圧操作すると（ｓｔ３２）、第１実施形態と同様にシャッタタイミング信号により、単一色背景画像３６の投影に同期してデジタルカメラ１４による撮影が行なわれ（ｓｔ３３）、この撮影画像データが被写体切出部２７に送られる。この被写体切出部２７により、前記撮影画像データから主要被写体画像データが切り抜かれ、画像合成部２９に送られる。
【００４５】
続いて、次のシャッタタイミング信号により、単一色背景画像３８の投影に同期して撮影が行なわれ（ｓｔ３３）、この撮影画像データが被写体切出部２７に送られる。この被写体切出部２７により、前記撮影画像データから主要被写体画像データが切り抜かれ、画像合成部２９に送られる。続いて、次のシャッタタイミング信号により、単一色背景画像４８の投影に同期して撮影が行なわれ（ｓｔ３３）、この撮影画像データが被写体切出部２７に送られる。この被写体切出部２７により、前記撮影画像データから主要被写体画像データが切り抜かれ、画像合成部２９に送られる。
【００４６】
本実施形態では、単一色背景画像は青色，緑色，黄色の３色であるから、１回のシャッタレリーズボタン１７の押圧操作による全ての撮影は完了する（ｓｔ３４）。
【００４７】
ここで、図１１に示すように、例えば人物１１の袖の色が青色であった場合（Ａ）、青色の単一色背景画像３６を背景にした撮影画像データでは、その主要被写体画像４４の袖の画像が単一色背景画像３６から分離できないが（Ｂ）、緑色の単一色背景画像３８を背景にした撮影画像データでは、その主要被写体画像４７の青色をした袖の画像は単一色背景画像３８から分離される（Ｂ）。
【００４８】
また、人物１１の靴の色が緑色であった場合（Ａ）、緑色の単一色背景画像３８を背景にした撮影画像データでは、その主要被写体画像４７の靴の画像が単一色背景画像３８から分離できないが（Ｂ）、青色の単一色背景画像３６を背景にした撮影画像データでは、その主要被写体画像４４の緑色をした靴の画像は単一色背景画像３６から分離される（Ｂ）。
【００４９】
また、黄色の単一色背景画像４８を背景にした撮影画像データでは、その主要被写体画像４９の青色をした袖の画像及び緑色をした靴の画像の両方が単一色背景画像４８から分離される（Ｂ）。
【００５０】
前記主要被写体画像４４，４７，４９を比較すると、靴の画像は２個の主要被写体画像４４，４９に含まれ、袖の画像は２個の主要被写体画像４７，４９に含まれている。また、前記主要被写体画像４７の左足の画像は、側方にやや上げられて傾斜した形状になっており、他の主要被写体画像４４，４９とは異なる。
【００５１】
画像合成部２９は、前記主要被写体画像４４，４７，４９を画像合成するに際して、他の主要被写体画像４４，４９と異なる主要被写体画像４７の左足の画像を削除するとともに、２個の主要被写体画像に含まれる袖と靴の各画像を通常背景画像２２と合成されるべき主要被写体画像５０の一部として処理し、最終の主要被写体画像５０を作成する（ｓｔ３５）。
【００５２】
続いて、画像合成部２９は、前記主要被写体画像５０と通常背景画像２２とを画像合成し（ｓｔ３６）、得られた合成画像データをプリント用画像データとしてプリンタに送る。なお、前記合成画像データを保存用画像データとしてメモリカードなどの不揮発メモリに書き込むようにしてもよい。
【００５３】
このように、撮影中に人物１１が動いたことで異なる状態の主要被写体画像４７が切り出された場合でも、通常背景画像２２と合成されるべき主要被写体画像５０を明確に特定することができる。
【００５４】
以上説明したいずれの実施形態においても、通常背景画像との合成具合を確認する際には、撮影される人物が後ろを振り返ってスクリーンを観察するようにしたが、本発明はこれに限定されることなく、例えば人物の前方（デジタルカメラ側）に液晶ディスプレイ等のモニタを設置し、スルー画から主要被写体画像を切り取って通常背景画像と合成することにより得られる合成スルー画をモニタに表示し、これを人物が観察するようにしてもよい。このようにすると、一々人物が後ろを振り返ってスクリーンを見る必要がないので、人物への負担が軽減される。
【００５５】
また、上記実施形態では、人物が自らシャッタレリーズボタンを押圧操作して撮影を行なったが、専用の操作員がシャッタレリーズボタンを押圧操作して撮影を行なってもよい。この場合には、操作員が人物と通常背景画像との合成具合を確認して人物に指示を与えるようにしてもよい。
【００５６】
また、上記実施形態では、プロジェクタを用いてスクリーンに画像を投影するようにしたが、このプロジェクタとスクリーンの代わりに、周知のリアプロジェクションテレビを用いることもできる。
【００５７】
また、上記第１，２実施形態では、灰色の単一色背景画像を用いたが、本発明はこれに限定されることなく、例えば、撮影前にその都度操作員等が主要被写体（人物）の色構成を見て判別し、主要被写体の色構成と色相が異なる色の単一色背景画像を選択してもよい。
【００５８】
また、上記第３実施形態では、単一色背景画像の色を「青色」と「緑色」とし、上記第４実施形態では、単一色背景画像の色を「青色」，「緑色」，「黄色」としたが、本発明はこれに限定されることなく、主要被写体画像が明確に分離できれば、どのような色でもよい。また、上記第４実施形態では、単一色背景画像の色を互いに異なる３色としたが、本発明はこのような色数に限定されず、例えば互いに異なる５色としてもよい。
【図面の簡単な説明】
【００５９】
【図１】本発明の第１実施形態の概略的な構成を示すブロック図である。
【図２】通常背景画像と灰色の単一色背景画像とを示す説明図である。
【図３】第１実施形態の主なシーケンスを示すフローチャートである。
【図４】本発明の第２実施形態の概略的な構成を示すブロック図である。
【図５】撮影要求があったときのみに単一色背景画像を投影する様子を示す説明図である。
【図６】第２実施形態の主なシーケンスを示すフローチャートである。
【図７】２色の単一色背景画像と通常背景画像を投影する様子を示す本発明の第３実施形態の説明図である。
【図８】２色の単一色背景画像から主要被写体画像を抜き出して合成する様子を示す説明図である。
【図９】第３実施形態の主なシーケンスを示すフローチャートである。
【図１０】３色の単一色背景画像と通常背景画像を投影する様子を示す本発明の第４実施形態の説明図である。
【図１１】３色の単一色背景画像から主要被写体画像を抜き出して合成する様子を示す説明図である。
【図１２】第４実施形態の主なシーケンスを示すフローチャートである。
【符号の説明】
【００６０】
１０，４０  画像合成システム
１２  スクリーン
１４  デジタルカメラ
１５  プロジェクタ
１７  シャッタレリーズボタン
１８  システムコントローラ
２２  通常背景画像
２３，３６，３８，４８  単一色背景画像
２６  背景制御部
２７  被写体切出部
２８  タイミング制御部
２９  画像合成部
４４，４５，４６，４７，４９，５０  主要被写体画像
【図１】
2008097191.tif 000003
【図２】
2008097191.tif 000004
【図３】
2008097191.tif 000005
【図４】
2008097191.tif 000006
【図５】
2008097191.tif 000007
【図６】
2008097191.tif 000008
【図７】
2008097191.tif 000009
【図８】
2008097191.tif 000010
【図９】
2008097191.tif 000011
【図１０】
2008097191.tif 000012
【図１１】
2008097191.tif 000013
【図１２】
2008097191.tif 000014